(57)【要約】【課題】転写ヘッド以外は被転写面に接することなく、把持して使用することができ、だれでもうまく転写できるものを提供することである。【解決手段】感圧転写テープの転写塗膜を被転写面に転写する自動巻取り式の塗膜転写具において、ケース外面に沿ってスライドするように設けられた可動部が、ケース外面の定位置に付勢されており、その定位置からスライドさせた位置においてケースと可動部とに係止機構がなく、力を与えながら可動部をスライドさせたまま保持している状態にして塗膜を転写する塗膜転写具であって、可動部が転写ヘッドの保護カバーと連動しており、可動部をスライドさせると保護カバーが動いて転写可能となることを特徴とするものである。もしくは、可動部が転写ヘッドと連動しており、可動部をスライドさせると転写ヘッドがケース外へ出てきて転写可能となることを特徴とするものである。【選択図】図６
2014131849.tif 000002
【特許請求の範囲】
【請求項１】
転写塗膜を基材テープ表面に形成している感圧転写テープが、繰出しリールから繰り出されて転写ヘッドを介して巻取りリールに巻かれるように、繰出しリールと巻取りリールの連動機構と共にケースに配置されており、ケースから突設した転写ヘッドにて感圧転写テープの転写塗膜を被転写面に転写する自動巻取り式の塗膜転写具において、
ケース外面に沿ってスライドするように設けられた可動部が、ケース外面の定位置に付勢されており、その定位置からスライドさせた位置においてケースと可動部とに係止機構がなく、力を与えながら可動部をスライドさせたまま保持している状態にして塗膜を転写する塗膜転写具であって、
可動部が転写ヘッドの保護カバーと連動しており、可動部をスライドさせると保護カバーが動いて転写可能となることを特徴とする塗膜転写具。
【請求項２】
転写塗膜を基材テープ表面に形成している感圧転写テープが、繰出しリールから繰り出されて転写ヘッドを介して巻取りリールに巻かれるように、繰出しリールと巻取りリールの連動機構と共にケースに配置されており、ケースから突設した転写ヘッドにて感圧転写テープの転写塗膜を被転写面に転写する自動巻取り式の塗膜転写具において、
ケース外面に沿ってスライドするように設けられた可動部が、ケース外面の定位置に付勢されており、その定位置からスライドさせた位置においてケースと可動部とに係止機構がなく、力を与えながら可動部をスライドさせたまま保持している状態にして塗膜を転写する塗膜転写具であって、
可動部が転写ヘッドと連動しており、可動部をスライドさせると転写ヘッドがケース外へ出てきて転写可能となることを特徴とする塗膜転写具。
【発明の詳細な説明】
【技術分野】
【０００１】
本発明は、塗膜転写具に関するものである。塗膜転写具は、基材テープ表面に形成している転写塗膜を被転写面に転写するものである。基材テープ表面に転写塗膜を形成しているものが感圧転写テープであり、それを塗膜転写具に装填している。感圧転写テープの基材テープ背面から塗膜転写具の転写ヘッドにて押圧して、基材テープ表面の転写塗膜を被転写面に転写する。特に本発明では、使用者の慣れなどによらずだれでも、感圧転写テープの転写塗膜を被転写面にうまく転写できる塗膜転写具に関するものである。
【背景技術】
【０００２】
従来より塗膜転写具は、修正テープやテープのりなどの商品名で販売されている。修正テープでは、装填される感圧転写テープの転写塗膜が、誤字などを隠蔽して再筆記可能にするための修正塗膜である。テープのりでは、その転写塗膜が紙同士などを接着するための粘着塗膜である。
【０００３】
このように目的によって、転写塗膜の種類が異なっている。また、転写塗膜を形成している感圧転写テープを装填する塗膜転写具において、その構成は、次のようなものである。
【０００４】
感圧転写テープが繰出しリールから繰り出されて転写ヘッドを介して巻取りリールに巻き取られるように、繰出しリール、転写ヘッド、巻取りリール、および、感圧転写テープを塗膜転写具のケースに配置している。
【０００５】
繰出しリールは、転写前の感圧転写テープが巻かれている。転写ヘッドは、転写塗膜を被転写面に転写することができるように、ケースから突出して設けており、感圧転写テープの基材テープ背面から被転写面に押圧することができる。巻取りリールは、塗膜転写後の基材テープを巻き取れるようになっている。
【０００６】
繰出しリールと巻取りリールには連動機構があり、繰出しリールから巻取りリールまでテープがなめらかに動く。連動機構としては一般的に、ギアやＯリングなどが利用される。連動機構により、転写ヘッドにて感圧転写テープの転写塗膜を被転写面に転写させながら塗膜転写具を動かすことで、繰出しリールから感圧転写テープが繰り出されて、巻取りリールに基材テープが巻かれるまで、自動に巻き取られるように（テープ自動巻取り式に）なっている。
【０００７】
これらが塗膜転写具のケースに設けられているので、塗膜転写具を使用者が持って使用することができる。塗膜転写具は、このような構成である。
【０００８】
ところで、このような塗膜転写具は、使用者の持ち方によって、うまく転写できたりできなかったりすることがある。そこで、だれでもうまく転写できるように、コンピュータ入力装置である「マウス」のような持ち方で使用することができるものが開発されている。例えば、特開２００５−０６７１５３号公報、特開２００８−２９０２５７号公報、特開２００９−２５５３３０号公報、特開２０１０−０３６５５０号公報などがある。
【先行技術文献】
【特許文献】
【０００９】
【特許文献１】特開２００５−０６７１５３号公報
【特許文献２】特開２００８−２９０２５７号公報
【特許文献３】特開２００９−２５５３３０号公報
【特許文献４】特開２０１０−０３６５５０号公報
【発明の概要】
【発明が解決しようとする課題】
【００１０】
しかしながら、これら「マウス」のような使い方ができる塗膜転写具は、転写ヘッド以外に転写具のどこかが被転写面に接する部分を有する。そのように接することで、「マウス」のような使い方ができ、安定して転写させていた。一方、従来の塗膜転写具は、転写ヘッドだけ被転写面に接して、把持して使用するものである。本発明が解決しようとする課題は、転写ヘッド以外は被転写面に接することなく、把持して使用することができ、だれでもうまく転写できるものを提供することである。
【課題を解決するための手段】
【００１１】
「マウス」のような持ち方をしない一般的な塗膜転写具においては、使用者それぞれで持ち方が違っており、バラバラであった。それが問題であった。そこで、使用者が必ずある一定の持ち方になるような仕組みを塗膜転写具に設けることにしたものである。
【００１２】
本発明は、感圧転写テープの転写塗膜を被転写面に転写する自動巻取り式の塗膜転写具において、ケース外面に沿ってスライドするように設けられた可動部が、ケース外面の定位置に付勢されており、その定位置からスライドさせた位置においてケースと可動部とに係止機構がなく、力を与えながら可動部をスライドさせたまま保持している状態にして塗膜を転写する塗膜転写具であって、可動部が転写ヘッドの保護カバーと連動しており、可動部をスライドさせると保護カバーが動いて転写可能となることを特徴とするものである。もしくは、可動部が転写ヘッドと連動しており、可動部をスライドさせると転写ヘッドがケース外へ出てきて転写可能となることを特徴とするものである。
【００１３】
このように、可動部をスライドさせてそのまま保持する必要があるものにしている。可動部をケース外面に沿って設けているために、塗膜転写具を片手で把持して可動部をスライドさせることは難しい。そこで使用者は、もう一方の手で塗膜転写具を押さえながら、可動部をスライドさせることになる。そして可動部をスライドさせた状態を保持したまま、塗膜転写具を押さえていたもう一方の手を離して、塗膜転写具を動かして、転写塗膜を被転写面に転写することになる。これによって、一定の持ち方になり、その状態で使用せざるを得ないものにしている。このように、わざと片手では簡単に使用できず、もう一方の手を使うことで、一定の持ち方になるようにさせているものである。
【発明の効果】
【００１４】
本発明により、転写ヘッド以外は被転写面に接することなく、把持して使用することができ、だれでもうまく転写できるものを提供することができるようになった。
【図面の簡単な説明】
【００１５】
【図１】転写不可の状態の塗膜転写具を示した説明図である。
【図２】転写可能な状態の塗膜転写具を示した説明図である。
【図３】実施例１における図１の内部を示した説明図である。
【図４】実施例１における図２の内部を示した説明図である。
【図５】図３のカートリッジの内部を示した説明図である。
【図６】図４のカートリッジの内部を示した説明図である。
【図７】実施例１のカートリッジを示した説明図である。
【図８】図７の反対面を示した説明図である。
【図９】実施例２における図１の内部を示した説明図である。
【図１０】実施例２における図２の内部を示した説明図である。
【図１１】実施例３における転写不可の状態を示した説明図である。
【図１２】実施例３における図１２の内部を示した説明図である。
【図１３】実施例３における図１３の内部を示した説明図である。
【発明を実施するための形態】
【００１６】
塗膜転写具としては、修正テープやテープのりなど、転写塗膜がどのようなものでも構わない。ここでは、塗膜転写具としてテープのりの場合で説明する。テープのりでは、感圧転写テープの転写塗膜は紙同士などを接着するための粘着塗膜である。また、ここでの塗膜転写具は、ケース内部にカートリッジを有したものであり、このカートリッジに、繰出しリール、転写ヘッド、巻取りリール、および、感圧転写テープなどを設けている。このようなカートリッジであるが、交換できないいわゆる使い切りタイプである。
【００１７】
感圧転写テープは、基材テープの両面に剥離処理を施し、基材テープ表面に透明な粘着層を形成して、粘着塗膜としたものである。剥離処理は、基材テープの面によって剥離力に違いを設ける方が好ましい。粘着塗膜を形成する基材テープ表面よりも、その反対の基材テープ背面をよく剥離する面とした方が好ましい。
【００１８】
実施例１と２は請求項１における可動部が転写ヘッドの保護カバーと連動しているものであり、実施例３は請求項２における可動部が転写ヘッドと連動しているものである。それらを図を用いて説明する。
【実施例１】
【００１９】
塗膜転写具１におけるケース２に設けた可動部３と保護カバー４などの連動した動きを先に説明する。そして次に、その他の構成などを詳細に説明する。
【００２０】
図１は、転写不可の状態の塗膜転写具１を示した説明図である。請求項１における転写不可の状態である塗膜転写具１の外観を表している。図において塗膜転写具１は、図面垂直方向に厚みがある。ケース２外面に沿ってスライドするように設けられた可動部３が、ケース外面の定位置に付勢されており、可動部３に連動している保護カバー４が転写ヘッドを覆っていて、転写できない状態（転写不可の状態）である。
【００２１】
可動部３は、図面垂直方向の厚み部分であるところのケース２外面に沿ってスライドするように設けられている。図１における可動部３の位置が、ケース２外面において可動部３が付勢されている定位置である。図において見えている可動部３は、細長い形状で右上部分に左方向に凸部を有した形状である。細長い部分は、使用者の指を置く面を横から見ているため細長く見えている。凸部は、使用者の指がかかってスライドしやすいように設けた部分である。
【００２２】
図２は、転写可能な状態の塗膜転写具１を示した説明図である。請求項１における転写可能な状態である塗膜転写具１の外観を表している。ケース２外面に沿って可動部３をスライドさせており、それに連動して保護カバー４がケース２内へ動いて隠れて、転写ヘッド５が表れていて、転写できる状態（転写可能な状態）である。
【００２３】
この図２では、図１で見えていた保護カバー４はケース２内に入っていて、見えていない。ここで表れた転写ヘッド５はローラータイプである。ケース２から出てきた感圧転写テープ６が、このローラー７にて反転してケース２へ戻っている。このローラー７のローラー支軸８がヘッド側壁９に軸支されている。
【００２４】
可動部３をケース２外面に沿って設けているために、塗膜転写具１を片手で把持して可動部３をスライドさせることは難しい。図では使用者の指を描いていないが、図１の状態から図２の状態へ、塗膜転写具１を片手で把持して例えば親指で可動部３をスライドさせることは難しい。
【００２５】
そこで使用者は、もう一方の手で塗膜転写具１を押さえながら、例えばもう一方の手の人差し指と親指で塗膜転写具１を挟んで押さえながら、可動部３をスライドさせることになる。そして可動部３をスライドさせた状態を保持したまま、塗膜転写具１を押さえていたもう一方の手を離して、塗膜転写具１を動かして、転写塗膜を被転写面に転写することになる。
【００２６】
これによって、一定の持ち方になり、その状態で使用せざるを得ないものにしている。このように、わざと片手では簡単に使用できず、もう一方の手を使うことで、一定の持ち方になるようにさせているものである。なお図１と図２において、ケース２に表している網模様を施した円は、塗膜転写具１を押さえるもう一方の手の指がかかりやすいようにした部分である。
【００２７】
図３は、実施例１における図１の内部を示した説明図である。転写不可の状態における実施例１の塗膜転写具１であり、ケース２などを透明にして内部を表している。また図４は、実施例１における図２の内部を示した説明図である。転写可能な状態における実施例１の塗膜転写具１であり、ケース２などを透明にして、図３と同様に内部を表している。
【００２８】
説明のために主要部材だけを表している。そのため、その他の部分は適宜省略しており、実物にはあるがこの図にはない部分もある。例えば、不透明で表しているカートリッジ１０をケース２に固定している部分やケース２内部でうまくスライドさせるための部分などは省略している。
【００２９】
転写不可の状態である図１の内部を示した図３の状態から、可動部３をケース２外面に沿ってスライドさせると、それに連動して保護カバー４がケース２内へ動いて隠れ、転写ヘッド５が表れる。その表れた状態であるのが図４であり、転写可能な状態である実施例１における図２の内部を示している。
【００３０】
転写ヘッド５を覆っている保護カバー４は四角筒形である。図では、その四角筒形の側面のひとつが見えており、四角形で表している。その端に接続部１１がつながっている。保護カバー４の四角筒形の内側を貫いて、カートリッジ１０が固定されている。巻取りリール１２の一部が、不透明で表したカートリッジ１０の平板１３から出ており、図では見えている。
【００３１】
可動部３がスライドすると、可動部３に接続している接続部１１が動いて、さらに接続部１１がつながっている保護カバー４がスライドして動いて、保護カバー４がケース２内へ動いて隠れるように配置されている。転写ヘッド５はカートリッジ１０からも突出して設けられており、それがケース２からも突出している。カートリッジ１０がケース２に固定されているので、保護カバー４がケース２内へ動いて隠れると、転写ヘッド５が表れて、転写可能となる。
【００３２】
接続部１１は、図では左に湾曲した形状のものである。図面垂直方向のケース２の厚み中央付近で、ケース２に開口部１４があり、そこを通って可動部３と接続部１１が接続されている部分がある。そこからケース２内部の接続部１１は、図面手前と奥側とに分かれ、左に湾曲した形状の先が保護カバー４の端と、図面手前だけでなく図面奥側でもつながっている。図面奥側のは見えていない。
【００３３】
ケース２に開いている開口部１４は、可動部３がスライドしているどの位置においても、可動部３によって外観から隠されるように構成しているので、外観からケース２に開口部１４があることはわからない。
【００３４】
ここで可動部３は、トーションばね１５によってケース２外面の定位置に付勢されている。トーションばね１５は、円筒形のばね支軸１６を介して、トーションばね１５の一方がケース２に設けたばね保持部１７で挟まれて保持され、もう一方が保護カバー４の付勢用突起１８に接するように、ケース２に設置されている。
【００３５】
付勢用突起１８は、図で見えている保護カバー４の側面から図面手前に向けて円柱凸状に設けている。図では保護カバー４の側面上に円形で表している。これにより、保護カバー４をケース２外方向へ付勢することになる。そして同時に、保護カバー４に接続されている接続部１１を介して、可動部３をケース２外面の定位置に付勢することになる。なおここでは、トーションばね１５はひとつであり、付勢用突起１８もひとつである。
【００３６】
ケース２と可動部３とに係止機構はない。そのため、力を与えたまま可動部３を保持していなければ、可動部３と連動している保護カバー４がケース２外へ出てきてしまい、転写不可の状態になってしまうものにしている。可動部３から指を離すと、必ず使用できない状態になる。使用者がこの可動部３のスライドを続けなければならず、そして同時に、転写させるために塗膜転写具１を動かさなければならない。これがさらに、塗膜転写具１を片手で把持して可動部３をスライドさせることを難しくしている。これらのような効果がある。
【００３７】
次に実施例１の塗膜転写具１におけるその他の構成などを詳細に説明する。
【００３８】
図５は、図３のカートリッジ１０の内部を示した説明図である。図６は同じく、図４のカートリッジ１０の内部を示した説明図である。図３や図４で不透明にしていたカートリッジ１０の平板１３を透明にして、内部に設けたものを見えるようにした図である。
【００３９】
カートリッジ１０の内部には、繰出しリール１９から繰り出された感圧転写テープ６が円柱形の繰出しテープガイド２０を介して転写ヘッド５の方へ導かれており、転写ヘッド５から戻ってきた感圧転写テープ６が巻取りリール１２に巻き取られているのが見えている。
【００４０】
図５では、保護カバー４によって転写ヘッド５が隠れているが、図６では、可動部３がスライドしたままの状態であるので保護カバー４がケース２内に収納されており、転写ヘッド５が見えている。図６では、転写ヘッド５のヘッド側壁９も透明にして表している。
【００４１】
図７は、実施例１のカートリッジ１０を示した説明図である。図面手前と図面奥側に２つの平板１３があり、その間に繰出しリール１９や巻取りリール１２などをはさんで設置しているものである。図５や図６と同様に、平板１３やヘッド側壁９を透明にして内部を表している。
【００４２】
転写ヘッド５は、平板１３からも突出して配置している。この突出した部分が、可動部３をスライドさせた時に保護カバー４がケース２内に収納されて、表れるようになっている。これにより、転写ヘッド５にて転写塗膜を転写することができる。
【００４３】
カートリッジ１０において、感圧転写テープ６が繰出しリール１９から繰り出されて転写ヘッド５を介して巻取りリール１２に巻き取られている。感圧転写テープ６の転写塗膜が、転写ヘッド５にて被転写面に転写されると、感圧転写テープ６の基材テープだけが巻取りリール１２に巻き取られることになる。
【００４４】
繰出しリール１９は、円筒形の繰出しリール支軸２１に回転可能にはまっている。繰出しリール１９には、感圧転写テープ６が巻かれているコア２２がある。そのコア２２が、接続中間部２３を介して、図面奥側にある繰出しリール１９側面の繰出しギア２４と接続している。接続中間部２３は、その繰出しリール１９側面の繰出しギア２４と一体ものであり、図では同じ模様を施している。そして、接続中間部２３の中心円が、円筒形の繰出しリール支軸２１に回転可能にはまっているものである。
【００４５】
接続中間部２３の中心円から外側へ設けている「くの字」形状の４箇所が、外側方向へ押しながらコア２２の内周面に接している。転写していてテープが動いているどこかの間でタイミングが合わなくなり、何かしらの強い力で感圧転写テープ６が引っ張られることがあると、この４箇所ですべるようになっている。これにより、余計な引出しによるたるみやテープの破断などの不具合を防ぐことができるものである。
【００４６】
繰出しリール１９から繰り出された感圧転写テープ６は、円柱形の繰出しテープガイド２０を介して、転写ヘッド５へ導かれている。
【００４７】
転写ヘッド５は、ローラータイプのものである。そのローラー７に感圧転写テープ６が巻かれて転写可能になっている。そこで感圧転写テープ６の基材テープ背面から押圧して、感圧転写テープ６の転写塗膜が被転写面に転写することができるものである。また、このローラー７にて、感圧転写テープ６が反転して戻っている。
【００４８】
ローラー７のローラー支軸８が転写ヘッド５のヘッド側壁９に軸支されている。ヘッド側壁９はおおよそ三角形状で図面手前と図面奥側とに２つあり、ローラー７をはさんで回転可能にローラー支軸８を軸支している。
【００４９】
２つのヘッド側壁９と固定接続されている主軸が、２つの平板１３の間に伸びており、円柱形の転写ヘッド支軸２５にて転写ヘッド５は保持されている。図ではこれらも透明で表しており、同じ模様を施している。なお、その他にも、転写ヘッド５の動きを規制するガイド部は適宜設ければよいが、図では省略している。
【００５０】
転写された後の感圧転写テープ６の基材テープは、ローラー７にて反転していて、巻取りリール１２に巻き取られている。
【００５１】
巻取りリール１２は、円筒形の巻取りリール支軸２６に回転可能にはまっている。巻取りリール１２には、図面手前のリール側面に波形溝リール側面２７があり、そのリール側面に波形溝２８がある。そして、そこから中心に向かって４本の短いスポークを介した巻取りリール１２の中心円が、円筒形の巻取りリール支軸２６に回転可能にはまっているものである。
【００５２】
波形溝２８は、図面垂直方向の手前に立ち上がる垂直面とそこから斜めに下がる斜面からなる三角波形状であり、円形扇のように形成している。この波形溝２８は、テープがたるんだりしたときに、直すために利用する溝である。図では、その波形溝２８の垂直面を外円周へ向かう直線で表している。
【００５３】
カートリッジ１０において、円筒形の繰出しリール支軸２１、円柱形の繰出しテープガイド２０、円柱形の転写ヘッド支軸２５、円筒形の巻取りリール支軸２６、および、平板接続部２９は、図面手前と図面奥側にある２つの平板１３とに渡って設けられている。そのため、これらは塗膜転写具１の図面垂直方向の厚み中央付近で断面となる部分であるので、図において斜線を施して表している。
【００５４】
図８は、図７の反対面を示した説明図である。見えている部分が違うだけで、カートリッジ１０の構成などは図７と同じである。図７と同様に、平板１３やヘッド側壁９を透明にして内部を表している。以下、図８における主要な部分を説明する。
【００５５】
繰出しリール１９は、円筒形の繰出しリール支軸２１に回転可能にはまっている。繰出しリール１９には、図面手前のリール側面に、繰出しギア２４、２つの爪部３０、および、感圧転写テープ６の残量を確認することができる２つの扇窓３１がある。その側面の中心付近では４本の短いスポークで接続している接続中間部２３の中心円がある。これらは一体ものであり、図では同じ模様を施しているが、２つの爪部３０だけはわかりにくいので、模様を施していない。そして、接続中間部２３の中心円が、円筒形の繰出しリール支軸２１に回転可能にはまっているものである。スポークによる隙間から、接続中間部２３から外側へ設けている「くの字」形状の４箇所が見えている。
【００５６】
巻取りリール１２は、円筒形の巻取りリール支軸２６に回転可能にはまっている。巻取りリール１２には、図面手前のリール側面に円形側面３２があり、その側面に円形側面３２の径よりも小さな巻取りギア３３がある。そして、巻取りリール１２の中心円が、円筒形の巻取りリール支軸２６に回転可能にはまっているものである。
【００５７】
感圧転写テープ６を繰出しリール１９から巻取りリール１２までなめらかに動かすための連動機構として、ここではギアを利用している。繰出しリール１９の繰出しギア２４と巻取りリール１２の巻取りギア３３とを歯合させている。これにより、繰出しリール１９と巻取りリール１２とが連動する。
【００５８】
また、これらギア比とリール径比を調整して、たるむことなく感圧転写テープ６をなめらかに動かすようにしている。加えて、逆転防止機構によって一方向に回転させており、転写ヘッドにて転写塗膜を転写しながら自動的にテープを巻き取ることができるようにしている。テープは、波形溝リール側面２７と円形側面３２との間に巻き取られている。
【００５９】
逆転防止機構は、一般的な塗膜転写具に設けられているものと同じで、いわゆるラチェットのような構造のものである。繰出しリール１９の２つの爪部３０と、透明にして内部を表しているので図示していないが、平板１３内面に設けている円形扇形の凹凸溝とによって、逆転防止になるようにしている。
【実施例２】
【００６０】
実施例２は、可動部３をケース外面の定位置に付勢している手段が異なるものであり、トーションばねではなくコイルばねを使用しているものである。その他の構造は、実施例１と同じであり、実施例２における塗膜転写具１の外観も図１や図２と同じである。そのため、可動部３に連動している保護カバー４などの外観上の動きは実施例１と同じである。
【００６１】
図９は、実施例２における図１の内部を示した説明図である。転写不可の状態における実施例２の塗膜転写具１であり、ケース２などを透明にして内部を表している。また図１０は、実施例２における図２の内部を示した説明図である。転写可能な状態における実施例２の塗膜転写具１であり、ケース２などを透明にして、図９と同様に内部を表している。
【００６２】
転写不可の状態である図１の内部を示した図９の状態から、可動部３をケース２外面に沿ってスライドさせると、それに連動して保護カバー４がケース２内へ動いて隠れて、転写ヘッド５が表れる。その表れた状態であるのが図１０であり、転写可能な状態である実施例２における図２の内部を示している。
【００６３】
実施例２における可動部３、保護カバー４、および、接続部１１の構成や動きなどは、実施例１と同じである。
【００６４】
ここで可動部３は、コイルばねによってケース２外面の定位置に付勢されている。コイルばねは、ばね部３４の内部に設置されている。ばね部３４は、その両端となる図面の右上と左下において、ばね部保持部３５につながって固定されており、その２つのばね部保持部３５はそれぞれ、図面手前と奥側のケース２内面に接続されて固定されている。
【００６５】
ばね部３４の内部に設置されたコイルばねの力が、ばね付勢用突起３６に伝達されている。ばね付勢用突起３６は、ばね部３４に設けた細長い突起窓３７より外側へ突出させて円柱凸状に設けている。突起窓３７より見えるべきばね部３４の内部の構造、例えばコイルばねの一部などは、省略している。
【００６６】
円柱凸状のばね付勢用突起３６が接続部１１に接して付勢しており、同時に可動部３と保護カバー４を付勢しているものである。図面裏側でも同じように、ばね部３４に設けた細長い突起窓３７があり、そこより外側へ突出させた円柱凸状のばね付勢用突起３６が、図面奥側で見えていない接続部１１に接して付勢している。なおここでは、コイルばねはひとつであり、ばね付勢用突起３６はふたつである。
【００６７】
ケース２と可動部３とに係止機構はない。そのため、実施例２においても実施例１で説明した効果は同様である。
【００６８】
また、実施例２の塗膜転写具１におけるその他の構成など、例えばカートリッジの構成や内部の動きなども、実施例１と同じである。
【実施例３】
【００６９】
図１１は、実施例３における転写不可の状態の塗膜転写具１を示した説明図である。請求項２における転写不可の状態である塗膜転写具１の外観を表している。図において塗膜転写具１は、図面垂直方向に厚みがある。ケース２外面に沿ってスライドするように設けられた可動部３が、ケース外面の定位置に付勢されており、可動部３に連動している転写ヘッド５がケース２内部に収納されていて、転写できない状態（転写不可の状態）である。
【００７０】
図１１において、同じ転写不可の状態である図１との外観上の違いは、保護カバーの部分だけである。図１１には保護カバーはなく、転写ヘッド５がケース２内部に収納されている。可動部３は、実施例１と同じである。
【００７１】
図２はまた、実施例３における転写可能な状態の塗膜転写具１を示した説明図である。請求項２における転写可能な状態である塗膜転写具１の外観を表している。実施例３における図２は、ケース２外面に沿って可動部３をスライドさせており、それに連動して転写ヘッド５がケース２内から出てきて表れていて、転写できる状態（転写可能な状態）である。
【００７２】
この場合でも実施例１と同様に、塗膜転写具１を片手で把持して可動部３をスライドさせることは難しい。そこで使用者は、もう一方の手で塗膜転写具１を押さえながら、例えばもう一方の手の人差し指と親指で塗膜転写具１を挟んで押さえながら、可動部３をスライドさせることになる。そして可動部３をスライドさせた状態を保持したまま、塗膜転写具１を押さえていたもう一方の手を離して、塗膜転写具１を動かして、転写塗膜を被転写面に転写することになる。
【００７３】
これによって、一定の持ち方になり、その状態で使用せざるを得ないものにしている。このように、わざと片手では簡単に使用できず、もう一方の手を使うことで、一定の持ち方になるようにさせているものである。なお図１１においても、ケース２に表している網模様を施した円は、塗膜転写具１を押さえるもう一方の手の指がかかりやすいようにした部分である。
【００７４】
図１２は、実施例３における図１１の内部を示した説明図である。転写不可の状態における実施例３の塗膜転写具１であり、ケース２などを透明にして内部を表している。また図１３は、実施例３における図２の内部を示した説明図である。転写可能な状態における実施例３の塗膜転写具１であり、ケース２などを透明にして、図１２と同様に内部を表している。
【００７５】
説明のために主要部材だけを表している。そのため、その他の部分は適宜省略しており、実物にはあるがこの図にはない部分もある。例えば、不透明で表しているカートリッジ１０をケース２内部でうまくスライドさせるための部分などは省略している。
【００７６】
転写不可の状態である図１１の内部を示した図１２の状態から、可動部３をケース２外面に沿ってスライドさせると、それに連動して転写ヘッド５がケース２外へ動いて表れる。その表れた状態であるのが図１３であり、転写可能な状態である実施例３における図２の内部を示している。
【００７７】
可動部３がスライドすると、図面垂直方向のケース２の厚み中央付近にある開口部１４を通って可動部３と接続している可動部ラック３８もスライドする。可動部ラック３８はピニオン３９と係合しており、可動部ラック３８がスライドすることで、ピニオン３９は回転することになる。
【００７８】
ピニオン３９は、ケース２に固定されている円筒形の回転軸４０を中心にして回動可能となっている。ピニオン３９はまたカートリッジに設けられたカートリッジラック４１とも係合しており、ピニオン３９が回転することで、カートリッジラック４１を有するカートリッジ１０がスライドすることになる。
【００７９】
ここで可動部３は、トーションばね１５の力が伝わることによってケース２外面の定位置に付勢されている。トーションばね１５は、円筒形のばね支軸１６を介して、トーションばね１５の一方がケース２に設けたばね保持部１７で挟まれて保持され、もう一方がカートリッジ１０の付勢用突起１８に接するように、ケース２に設置されている。
【００８０】
付勢用突起１８は、図で見えているカートリッジ１０の平板１３から図面手前に向けて円柱凸状に設けている。図ではカートリッジ１０の平板１３上に円形で表している。これにより、カートリッジ１０をケース２内方向へ付勢することになる。そして同時に、ピニオン３９を介して、トーションばね１５の力の向きとは逆向きに力が伝わり、可動部３をケース２外面の定位置に付勢することになる。なおここでは、トーションばね１５はひとつであり、付勢用突起１８もひとつである。
【００８１】
ケース２と可動部３とに係止機構はない。そのため、実施例３においても実施例１で説明した効果は同様である。
【００８２】
また、実施例３の塗膜転写具１におけるその他の構成など、例えばカートリッジの構成や内部の動きなども、ラックとピニオン機構やトーションばね１５やカートリッジ１０がスライドすることなどを除いて、実施例１と同様である。
【符号の説明】
【００８３】
１    塗膜転写具
２    ケース
３    可動部
４    保護カバー
５    転写ヘッド
６    感圧転写テープ
７    ローラー
８    ローラー支軸
９    ヘッド側壁
１０    カートリッジ
１１    接続部
１２    巻取りリール
１３    平板
１４    開口部
１５    トーションばね
１６    ばね支軸
１７    ばね保持部
１８    付勢用突起
１９    繰出しリール
２０    繰出しテープガイド
２１    繰出しリール支軸
２２    コア
２３    接続中間部
２４    繰出しギア
２５    転写ヘッド支軸
２６    巻取りリール支軸
２７    波形溝リール側面
２８    波形溝
２９    平板接続部
３０    爪部
３１    扇窓
３２    円形側面
３３    巻取りギア
３４    ばね部
３５    ばね部保持部
３６    ばね付勢用突起
３７    突起窓
３８    可動部ラック
３９    ピニオン
４０    回転軸
４１    カートリッジラック
【図１】
2014131849.tif 000003
【図２】
2014131849.tif 000004
【図３】
2014131849.tif 000005
【図４】
2014131849.tif 000006
【図５】
2014131849.tif 000007
【図６】
2014131849.tif 000008
【図７】
2014131849.tif 000009
【図８】
2014131849.tif 000010
【図９】
2014131849.tif 000011
【図１０】
2014131849.tif 000012
【図１１】
2014131849.tif 000013
【図１２】
2014131849.tif 000014
【図１３】
2014131849.tif 000015